(57)【要約】【課題】  表示状況に応じて、映像品質、および消費電力の低減を可能とした情報処理装置を提供する【解決手段】  テレビ画像表示部３１１がフルスクリーンの場合（Ｓ１２のＹ）、制御部１２は表示部の起動を最大に設定する。一方でテレビ画像表示部３１１がフルスクリーンでない場合には、表示部の輝度をユーザ設定値に設定する。制御部１６はＴＶビューワ１５０が終了するまで映像フルスクリーンか否かを監視し続け、映像サイズが切り替わる度に表示輝度を切り替えていく。    【選択図】  図３
2008193134.tif 000002
【特許請求の範囲】
【請求項１】
放送映像をマルチウインドウ表示可能な情報処理装置において、放送映像を受信するチ
ューナと、チューナにより受信した映像を表示する表示部と、ビューワプログラムを用い
て前記表示部に映像を表示させる制御部とを具備し、
前記制御部は前記ビューワプログラムによって表示されている映像の表示サイズを検出し
、表示サイズが全画面表示されている場合には前記表示部の表示輝度を最大値に設定し、
表示サイズが全画面表示されていない場合には、前記表示部の表示輝度をユーザが設定し
た輝度に設定することを特徴とする情報処理装置。
【請求項２】
前記制御部は前記ビューワプログラムが起動中に、前記表示サイズが切り替わった場合
には表示サイズに応じて表示輝度を切り替えることを特徴とする請求項１記載の情報処理
装置。
【請求項３】
前記制御部は、前記ビューワプログラムがリモコンにより制御可能なリモコンモードで
動作しているか、マルチウインドウ表示によるマルチモードで動作しているかを検出し、
リモコンモードで動作している場合には前記表示部の表示輝度を最大値に設定し、マルチ
モードで動作している場合には、表示サイズに応じて表示輝度を設定することを特徴とす
る請求項２記載の情報処理装置。
【発明の詳細な説明】
【技術分野】
【０００１】
本発明は映像を表示処理可能な情報処理装置に関し、特に表示状況に応じて映像品質ま
たは消費電力の節約が可能な情報処理装置に関するものである。
【背景技術】
【０００２】
従来の技術として、パーソナルコンピュータ（以下、ＰＣ）等の電子機器において、画
像のみの表示なのか、または画像と画像以外の混在表示なのかに応じて、画像以外の領域
の表示輝度を低くする。すなわち画像のみを表示する場合には高輝度で表示するものが開
示されている。
【特許文献１】特開２００６−２６２０３１号公報 （図１）
【発明の開示】
【発明が解決しようとする課題】
【０００３】
しかし、  パーソナルコンピュータのおもな利用方法である、複数のアプリケーション
を同時に利用するマルチウインドウでの動作が考慮されていないため、ＰＣでの利用状況
に応じた適切な画質となっていない。
【０００４】
そこで、本発明は上述した課題を解決するために、表示状況に応じて、映像品質、および
消費電力の低減を可能とした情報処理装置を提供することを目的とするものである。
【課題を解決するための手段】
【０００５】
本発明は上述したような課題を解決するため、放送映像をマルチウインドウ表示可能な情
報処理装置において、放送映像を受信するチューナと、チューナにより受信した映像を表
示する表示部と、ビューワプログラムを用いて前記表示部に映像を表示させる制御部とを
具備し、前記制御部は前記ビューワプログラムによって表示されている映像の表示サイズ
を検出し、表示サイズが全画面表示されている場合には前記表示部の表示輝度を最大値に
設定し、表示サイズが全画面表示されていない場合には前記表示部の表示輝度をユーザが
設定した輝度に設定するものである。
【０００６】
また本発明は、前記制御部は前記ビューワプログラムが起動中に、前記表示サイズが切
り替わった場合には表示サイズに応じて表示輝度を切り替えるものである。
【０００７】
また本発明は、前記制御部は、前記ビューワプログラムがリモコンにより制御可能なリ
モコンモードで動作しているか、マルチウインドウ表示によるマルチモードで動作してい
るかを検出し、リモコンモードで動作している場合には前記表示部の表示輝度を最大値に
設定し、マルチモードで動作している場合には、表示サイズに応じて表示輝度を設定する
ものである。
【発明の効果】
【０００８】
本発明によれば、映像品質と消費電力とをバランスよく達成できる。
【発明を実施するための最良の形態】
【０００９】
以下、本発明における実施形態について図面を用いて説明する。
【００１０】
図１は、本発明の一実施形態におけるＰＣの概略構成図である。  
このＰＣ１は、情報処理の際に一時的に情報を記憶するメモリ１０と、外部より放送波
を受信してチューニング可能なチューナ部１１と、文字や画像を表示する表示部１２と、
表示部１２の表示に関する制御を行う表示制御部１２Ａと、音声情報を出力する音声出力
部１３と、ＰＣ１を操作可能で図１に示す文字入力部１４０とタッチパッド１４１と決定
スイッチ１４２と切替スイッチ１４３とを含む操作部１４と、情報を磁気情報として記憶
する記録部１５と、ＰＣ１の各部を統括し、動作させる制御部１６とを有する。
【００１１】
制御部１６は、チューナ部１１によって受信した放送波をデコードして表示するととも
に記録部１５に保存された映像コンテンツを再生する映像表示プログラムとしてのＴＶビ
ュ−ワと、ウェブページを閲覧可能なウェブブラウザとをアプリケーションとして動作さ
せることが可能である。なお、これらの他に複数のアプリケーションを動作可能としても
よい。
【００１２】
ＴＶビュ−ワはＴＶビュ−ワが実行中に表示されるチューナからの映像のサイズに基づ
いて表示部１２に表示する輝度を設定可能な設定制御プログラムを有している。
【００１３】
制御部１６は、ＴＶビュ−ワ１５０で実行中のモードが後述するリモコンモードかマル
チモードかを判定し、また表示部１２に表示されている映像のサイズがフルスクリーンモ
ードかマルチモードかを判定する。そして、この判定結果に基づいて、ＴＶビューワが保
持している輝度設定値を参照して表示部１２の表示輝度を切り替える。
【００１４】
図２は、ＰＣ１の表示モードに応じた表示画面構成例を示す図であり、図２（ａ）はマ
ルチモードでの表示構成例、図２（ｂ）はリモコンモードでフルスクリーンで表示させた
表示構成例である。図２（ａ）に示すようにマルチモードは、主に別アプリケーション、
例えばウェブブラウザ１６１等を同時に使用する場合に操作するためのモードであって、
プレーヤ部３１０を有する。テレビ画像表示部３１１は
独立して表示されデスクトップ１６２上において自由に移動および配置が可能で表示サイ
ズを変更できるサイズ変更タグ等を有する。またプレーヤ部３１０は映像の再生制御を実
施する操作スイッチ群３１８を有し、デスクトップ１６２上において自由に移動、配置で
きる。  またプレーヤ部３１０は、５秒経つとその表示をやめ、テレビ画像表示部３１１
を選択クリックすることで再び５秒表示される。
【００１５】
図２（ｂ）はリモコンモード、すなわち主にリモコンを用いて操作する表示モードであ
って、表示部１２にフルスクリーンで映像が表示される。また別モードへの切り替えは、
リモコンによって行うが、リモコンモード表示画面３５１をリモコンによって選択決定す
ることで、前回表示したモード（マルチモードなど）に切り替えが可能である。
【００１６】
次に、本実施形態における動作を図１乃至図４を参照しつつ説明する。
【００１７】
各操作は操作部１４において行われ、各処理は制御部１６において実行される。制御部
１６においで処理が実行さる際、メモリ１０は一時的にデータを記録することで処理を補
助する。チューナ１１は外部よりデジタル放送波を受信し、受信した映像信号は制御部１
６によりデコードされ、表示制御部１２Ａにより表示部１２に表示される。また映像信号
の音声は音声出力部１３から出力される。
【００１８】
テレビビューワ１５０は、操作部１４あるいはリモコンにより起動が可能で、操作部１
４により起動した場合にはマルチモード表示画面３５０を表示し、リモコンにより起動し
た場合にはリモコンモード表示画面３５１を表示する。各モード表示画面において、操作
部１４またはリモコンを操作することによって、他の表示モードに移行することができる
。
【００１９】
テレビ画像表示部３１１の表示サイズは、制御部１６により監視されており、表示サイ
ズに応じて表示輝度を切り替える指示を制御部１６が表示部１２に出す。
【００２０】
図３は、本発明の実施形態に関するＰＣの動作を示すフローチャートである。
【００２１】
まず操作部１４を所定の手順で操作することによりＴＶビューワ１５０を起動する（Ｓ
１１）。次に図２（ａ）または図２（ｂ）に示すいずれかの画面が表示され、制御部１６
によりテレビ画像表示部３１１がフルスクリーン（全画面表示）かどうかが確認される（
Ｓ１２）。
【００２２】
テレビ画像表示部３１１がフルスクリーンの場合（Ｓ１２のＹ）、制御部１２は表示部
の起動を最大に設定する。一方でテレビ画像表示部３１１がフルスクリーンでない場合に
は、表示部の輝度をユーザ設定値に設定する。ユーザ設定値はユーザがあらかじめ操作部
１４を用いて設定していた輝度値であり記録部１５に記録されている。そして、制御部１
６はＴＶビューワ１５０が終了するまで映像フルスクリーンか否かを監視し続け、映像サ
イズが切り替わる度に表示輝度を切り替えていく。
【００２３】
図４は、本発明の他の実施形態に関するＰＣの動作を示すフローチャートである。なお
以下の説明において、上述の実施形態と同一の構成および機能を有する部分については共
通の符号で説明している。
【００２４】
まず操作部１４を所定の手順で操作することによりＴＶビューワ１５０を起動する（Ｓ
１１）。次に起動された表示モードがリモコンモードであるのか、マルチモードであるの
かを制御部１６が判定する（Ｓ２１）。そして起動された表示モードがリモコンモードで
ある場合には、表示装置（ＬＣＤ）の輝度を最大値に設定する（Ｓ２２）。一方で表示モ
ードがマルチモードである場合には、制御部１６がテレビ画像表示部３１１の表示サイズ
を検出し、表示サイズに応じた表示輝度を設定する。表示輝度の設定値と表示サイズとの
対応テーブルは記録部１５に記録されてり、表示サイズが大きくなってく度に表示輝度が
高くなるような対応テーブルとなっており、表示サイズがフルスクリーンの大きさのとき
に表示輝度が最大となる設定値となる。
【００２５】
して、制御部１６はＴＶビューワ１５０が終了するまで表示モードがリモコンモードか
マルチモードかを監視し続け（Ｓ１５）、表示モードが切り替わる度に表示輝度を切り替
えていく。
【００２６】
以上説明したように本実施形態によれば、フルスクリーンモードで映像を表示する状態
では、他の作業は行えないため、映像の品質を上げ発色をよくするためにLCD輝度を最大
に設定する。
【００２７】
ウインドウモードでユーザが映像以外のウインドウを立ち上げたり、他の作業を並行し
て行うことが予測される場合、LCD輝度を適度な値に落とす。上記制御を行うことにより
、映像を楽しむ場合と他の作業を行う場合とで、適切なLCD輝度を設定し、眩しすぎて目
が疲れるということがないようになる。
【図面の簡単な説明】
【００２８】
【図１】本発明の一実施形態を示す本発明の一実施形態を示す情報処理装置のシステム構成図である。
【図２】同実施形態における表示画面図である。
【図３】同実施形態の動作を説明するためのフローチャートである。
【図４】同実施形態の他の実施例を説明するためのフローチャートである。
【符号の説明】
【００２９】
１…ＰＣ、１０…メモリ、１１…チューナ部、１２Ａ…表示制御部、１２…表示部、１３
…音声出力部、１４…操作部、１５…記録部、１６…制御部。
【図１】
2008193134.tif 000003
【図２】
2008193134.tif 000004
【図３】
2008193134.tif 000005
【図４】
2008193134.tif 000006